(57)【要約】【課題】  密接状態の金型の分解を有効に行うことができ、構成の簡素化を図り経済的な金型の分解装置を提供する。【解決手段】  水平昇降板２０の両端部に金型の略幅間隔をあけてピストンロッド２２，２２部を下方に向けてアクチュエータ２３、２３が支持され、該それぞれのアクチュエータ２３、２３のロッドカバー２４、２４の内側対向部には重ね合わされた金型の両端部間に形成された空間２５、２５に挿入位置する水平ブラケット２６、２６が突出させられてなり、好ましくは、前記アクチュエータ２３、２３の間隔を前記水平昇降板２０上において調整自在に構成してなる金型の分解装置。【選択図】  図１
2011093111.tif 000002
【特許請求の範囲】
【請求項１】
水平昇降板の両端部に金型の略幅間隔をあけてピストンロッド部を下方に向けてアクチュエータが支持され、該それぞれのアクチュエータのロッドカバーの内側対向部には重ね合わされた金型の両端部間に形成された空間に挿入位置する水平ブラケットが突出させられてなることを特徴とする金型の分解装置。
【請求項２】
前記水平昇降板上に置ける前記両アクチュエータの間隔を調整自在に構成したことを特徴とする請求項1に記載の金型の分解装置。
【発明の詳細な説明】
【技術分野】
【０００１】
本発明は、金型の分解装置に関し、詳しくは、密接状態の金型に有効な金型の分解装置に関する。
【背景技術】
【０００２】
従来のゴム用トランスファー成形装置における成形状態及び金型の分解方法の一例を図２（Ａ）、（Ｂ）、（Ｃ）に示す。
【０００３】
同図において、１はポット下型、２はポット上型、３は上熱盤、４はヘッド、５は中型、６は下型、７はスライド板、８は下熱盤、９は可動盤、１０はピストン、１１は金型分解装置部である。
【０００４】
同図（Ａ）は、成形状態を示し、前記ポット下型１に供給されたゴム材料が前記ポット上型２によって前記中型５及び下型６内に注入され、同時に前記上熱盤３及び下熱盤８によって加熱されて成形が行われている状態である。
【０００５】
同図（Ｂ）、（Ｃ）は、前記金型分解方法の一例を示し、同図（Ｂ）は前記成形完了後、ピストン１０の下降に合わせて、可動盤９、下熱盤８、スライド板７、下型６、中型５、ポット下型１及び金型分解装置部１１が同時に下降させられた状態である。
【０００６】
同図において、前記ポット下型１とポット上型２との間は、その間にゴム材料が介在して密接状態であり分解が困難である。そこで、従来は、前記ポット下型１と前記ポット上型２の分解にロックピン等の治具とアクチュエータを使用し、一方の型の両側をロックピン等で固定し他方の型の両側をアクチュエータで均等に上下動させて分解することが一般に行われていた。このことは前記中型５と下型との分解も同様であった。
【０００７】
前記方法により、前記ポット下型１と前記ポット上型２の分解が行われると、同図（Ｃ）に示すように、前記ポット上型２は上熱盤３側に残り、前記ポット下型１は、前記中型５、前記下型６、前記スライド板７、前記下加熱盤７とともに  前記金型分解装置部１１に移されて分解が行われていた。
【０００８】
前記ポット下型１、前記中型５、前記下型６等の分解は、成形装置前方の金型分解装置で行い（実開平７−０２３５１２号公報）、あるいは手作業により行われて成形品が取り出されるものであった。
【先行技術文献】
【特許文献】
【０００９】
【特許文献１】実開平７−２３５１２号公報
【発明の概要】
【発明が解決しようとする課題】
【００１０】
前記ロックピン等の治具とアクチュエータからなる金型の分割は、それらを個々に準備し、個々の位置に装置しなければ成らず装置の複雑化を招き、さらに不経済でもあった。本発明は、前記の事情に鑑み、密接状態の金型の分解に有効であり、構成の簡素化を図り且つ経済的な金型の分解装置を提供することを目的とする。
【課題を解決するための手段】
【００１１】
前記目的を達成するために、本発明に金型の分解装置は、水平昇降板の両端部に金型の略幅間隔をあけてピストンロッド部を下方に向けてアクチュエータが支持され、該それぞれのアクチュエータのロッドカバーの内側対向部には重ね合わされた金型の両端部間の空間内に挿入位置する水平ブラケットが突出させられてなることを特徴とする。
【００１２】
前記構成によれば、前記水平昇降板の昇降及び／あるいは前記アクチュエータを駆動させて、前記水平ブラケットの高さを、予め、重ね合わされた金型の両端部間の空間内に位置するように調整し、その後、前記重ね合わされた金型を前記水平ブラケット方向に移動させれば、該水平ブラケットが前記重ね合わされた金型の両端部間の空間内に位置する。
【００１３】
その後、前記それぞれのアクチュエータを駆動してピストンロッドを進出させると、該それぞれのアクチュエータのピストンロッドの先端が下方の金型の両端部の上面部に当接する。
【００１４】
さらに、前記それぞれのアクチュエータの駆動を続けると、該それぞれのアクチュエータのロッドカバーに設けられた水平ブラケットが上方の金型の両端部の下面部に当接する。
【００１５】
さらに、前記それぞれのアクチュエータの駆動を続けると、前記水平ブラケットと前記ピストンロッド先端との間隔があけられて前記上方の金型及び水平昇降板が前記下方の金型に対して持ち上げられた状態となって前記重ね合わされた金型が分解されるものである。
【００１６】
本発明の実施の一形態は、前記水平昇降板上における前記アクチュエータの間隔を調整自在としたことを特徴とする。このように構成すると、重ね合わされた金型の大きさ（幅）が異なる場合にも前記両アクチュエータの間隔を調整して金型の分解装置として使用することができ好適である。なお、本発明は、金型に限らず、密接状態にある物体間の分解に利用することができる。
【発明の効果】
【００１７】
本発明によれば、金型が密接状態にある場合であっても分解を迅速且つ有効に行うことができる。また、構成の簡素化を図り経済的である効果を得ることができる。
【図面の簡単な説明】
【００１８】
【図１】本発明の一実施の形態に係る金型分解装置部の正面図である。
【図２】従来に成形状態及び金型分解装置を示す概略図である。
【発明を実施するための形態】
【００１９】
以下に、本発明の実施形態を、図面を参照しながら詳細に説明する。図１において、１はポット下型、２はポット上型、５は中型、６は下型である。
【００２０】
本発明では、前記積み重ねられた型の上方に水平昇降板２０が設けられる。該水平昇降板２０は、その両端部がガイドロッド２１、２１に上下動自在に支持されている。
【００２１】
さらに、前記水平昇降板２０の両端部には、別に、図示しないが、前記水平昇降板２０の上下位置を調整するシリンダのピストンロッドが連結されている。なお、前記図示しないシリンダは、後に述べる金型の分解時においては前記水平昇降板２０及び後述するアクチュエータ２３、２３の上下動を阻止することなく該水平昇降板２０及び前記アクチュエータ２３、２３が上昇させられることを許容するように構成されている。
【００２２】
前記水平昇降板２０の両端部には、重ね合わされた前記ポット下型1及びポット上型２の略幅間隔をあけてピストンロッド２２、２２部を下方に向けてアクチュエータ２３、２３が支持される。
【００２３】
さらに、前記アクチュエータ２３、２３のロッドカバー２４、２４の内側対向部には、前記重ね合わされた前記ポット下型１及びポット上型２の両端部間に形成された空間２５、２５内に挿入位置する水平ブラケット２６、２６が突出させられる。
【００２４】
なお、前記水平ブラケット２６、２６は、前記重ね合わされた前記ポット下型１及びポット上型２の両端部間に形成された空間２５、２５内に隙間をあけてゆるく挿入する厚さであってよい。
【００２５】
前記構成の金型の分解装置では、前記図示しないシリンダによって、前記水平昇降板２０、前記アクチュエータ２３、２３が上下動させられ、該アクチュエータ２３、２３の前記ロッドカバー２４、２４に設けられた前記水平ブラケット２６、２６の高さが、前記重ね合わされた前記ポット下型１及びポット上型２の両端部間に形成された空間２５、２５と同じ高さになるように調整される。
【００２６】
その後、前記重ね合わされた前記ポット下型１及びポット上型２が金型分解装置部の前記水平ブラケット２６、２６側に移動させられる。その結果、前記水平ブラケット２６、２６が前記重ね合わされた前部記ポット下型１及びポット上型２の両端部間に形成された空間２５、２５内に位置する。
【００２７】
その後、前記アクチュエータ２３、２３を駆動させてピストンロッド２２、２２を進出させると、該ピストンロッド２２、２２の先端が前記ポット下型１の両端部の上面Ｄに当接する。
【００２８】
さらに、前記アクチュエータ２３、２３の駆動を続けると、該アクチュエータ２３、２３のロッドカバー２４、２４に設けられた水平ブラケット２６、２６がポット上型２の両端部の下面Ｅに当接する。
【００２９】
さらに、前記アクチュエータ２３，２３の駆動を続けると、前記水平ブラケット２６、２６と前記ピストンロッド２２、２２先端との間隔があけられて前記ポット上型２が前記アクチュエータ２３、２３及び前記水平昇降板２０とともに前記ポット下型１に対して持ち上げられた状態となって該ポット下型１と前記ポット上型２が分解されるものである。
【００３０】
なお、前記水平昇降板２０上における前記アクチュエータ２３、２３の間隔を調整自在に構成すると、重ね合わされた金型の大きさ（幅）が異なる場合にも前記アクチュエータ２３、２３の間隔を調整して分解に使用することができ好適である。
【符号の説明】
【００３１】
１  ポット下型
２  ポット上型
２０  水平昇降板
２２  ピストンロッド（アクチュエータ）
２３  アクチュエータ
２４  ロッドカバー
２５  空間
２６  水平ブラケット
【図１】
2011093111.tif 000003
【図２】
2011093111.tif 000004